【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
ステーションと、該ステーションにアソシエートされている第１のアクセスポイント（ＡＰ）と、第２のＡＰとを有するワイヤレスローカルエリアネットワークにおいて近傍スキャンする方法であって、
前記ステーションからタイミング情報要求を受信すること、
前記第２のＡＰから送信されるビーコン信号に関するタイミング情報を、前記第１のＡＰにおいて受信すること、
前記ステーションに前記タイミング情報をレポートすること、および
前記ステーションが、前記タイミング情報に基づいて、前記第２のＡＰから送信される前記ビーコン信号をリスンすること
を備えることを特徴とする方法。
【請求項２】
前記タイミング情報は、前記ビーコン信号の送信に関する絶対的な時間基準を含む
ことを特徴とする請求項１に記載の方法。
【請求項３】
前記タイミング情報は、前記ビーコン信号の送信に関する、既知の基準時間に対する時間差を含む
ことを特徴とする請求項１に記載の方法。
【請求項４】
前記時間差は、タイミングユニット（timing unit）を用いたオフセットである
ことを特徴とする請求項３に記載の方法。
【請求項５】
前記基準時間は、前記第２のＡＰに関する目標ビーコン送信時間（target beacon transmission time）である
ことを特徴とする請求項３に記載の方法。
【請求項６】
前記第２のＡＰに関する前記タイミング情報は、前記第１のＡＰのビーコン期間に関連付けられる
ことを特徴とする請求項３に記載の方法。
【請求項７】
前記第２のＡＰに関する前記タイミング情報は、前記第１のＡＰのビーコン送信時間間隔に関連付けられる
ことを特徴とする請求項３に記載の方法。
【請求項８】
前記タイミング情報は、前記ビーコン信号の送信に関する時間ウィンドウ（time window）を含む
ことを特徴とする請求項１に記載の方法。
【請求項９】
前記タイミング情報を前記受信することは、
ネットワークサイド・シグナリングにより、前記第２のＡＰから前記タイミング情報を受信すること
を含むことを特徴とする請求項１に記載の方法。
【請求項１０】
前記タイミング情報を前記受信することは、
前記第２のＡＰから送信されたビーコン信号を測定すること
を含むことを特徴とする請求項１に記載の方法。
【請求項１１】
前記タイミング情報を前記受信することは、
前記第１のＡＰとアソシエートされている前記ステーションから、前記第２のＡＰから送信されたビーコン信号に関する測定値を受信すること
を含むことを特徴とする請求項１に記載の方法。
【請求項１２】
前記レポートすることは、
前記タイミング情報を送信するために、ビーコンフレームを使用すること
を含むことを特徴とする請求項１に記載の方法。
【請求項１３】
前記レポートすることは、
前記タイミング情報を送信するために、プローブ応答フレームを使用すること
を含むことを特徴とする請求項１に記載の方法。
【請求項１４】
前記レポートすることは、
前記タイミング情報を送信するために、アソシエーション応答フレームを使用すること
を含むことを特徴とする請求項１に記載の方法。
【請求項１５】
前記レポートすることは、
前記タイミング情報を送信するために、再アソシエーション応答フレームを使用すること
を含むことを特徴とする請求項１に記載の方法。
【請求項１６】
前記レポートすることは、
前記タイミング情報を送信するために、媒体アクセス制御（ＭＡＣ）フレーム内で情報エレメントを使用すること
を含むことを特徴とする請求項１に記載の方法。
【請求項１７】
前記ＭＡＣフレームは、管理サブタイプ（management subtype）である
ことを特徴とする請求項１６に記載の方法。
【請求項１８】
前記タイミング情報要求は、プローブ要求の一部である
ことを特徴とする請求項１に記載の方法。
【請求項１９】
前記タイミング情報要求は、アソシエーション要求の一部である
ことを特徴とする請求項１に記載の方法。
【請求項２０】
前記タイミング情報要求は、再アソシエーション要求の一部である
ことを特徴とする請求項１に記載の方法。
【請求項２１】
前記第２のＡＰからのタイミング情報を要求すること
をさらに備えることを特徴とする請求項１に記載の方法。
【請求項２２】
アソシエートされているステーションからのタイミング情報を要求すること
をさらに備えることを特徴とする請求項１に記載の方法。
【請求項２３】
タイミング情報デバイスと、
該タイミング情報デバイスからタイミング情報を受信するように構成されたスケジューリングデバイスと、
通信信号を受信し、かつ前記スケジューリングデバイスが制御可能な受信機と
を備えたことを特徴とするステーション。
【請求項２４】
前記タイミング情報は、ビーコン信号の送信に関する絶対的な時間基準を含む
ことを特徴とする請求項２３に記載のステーション。
【請求項２５】
前記タイミング情報は、ビーコン信号の送信に関する、既知の基準時間に対する時間差を含む
ことを特徴とする請求項２３に記載のステーション。
【請求項２６】
前記タイミング情報は、ビーコン信号の送信に関する時間ウィンドウを含む
ことを特徴とする請求項２３に記載のステーション。
【請求項２７】
前記スケジューリングデバイスは、アクセスポイント（ＡＰ）からのビーコン信号に関するタイミング情報を受信し、
前記スケジューリングデバイスは、前記受信機が前記ＡＰからの前記ビーコン信号を受信する時間をスケジューリングする
ことを特徴とする請求項２３に記載のステーション。
【請求項２８】
アクセスポイント（ＡＰ）からのタイミング情報を要求するように構成されたタイミング情報要求デバイス
をさらに備えたことを特徴とする請求項２３に記載のステーション。
【請求項２９】
ビーコン信号を送信するように構成されたビーコン送信デバイスと、
該ビーコン送信デバイスと通信するタイミング情報デバイスであって、該ビーコン送信デバイスがビーコンをいつ送信するかについて、該ビーコン送信デバイスからタイミング情報を受信し、該タイミング情報を送信するように構成されたタイミング情報デバイスと
を備えたことを特徴とするアクセスポイント（ＡＰ）。
【請求項３０】
前記タイミング情報は、前記ビーコン信号の送信に関する絶対的な時間基準を含む
ことを特徴とする請求項２９に記載のＡＰ。
【請求項３１】
前記タイミング情報は、前記ビーコン信号の送信に関する、既知の基準時間に対する時間差を含む
ことを特徴とする請求項２９に記載のＡＰ。
【請求項３２】
前記タイミング情報は、前記ビーコン信号の送信に関する時間ウィンドウを含む
ことを特徴とする請求項２９に記載のＡＰ。
【請求項３３】
前記タイミング情報デバイスは、前記タイミング情報がビーコンフレームに含まれるようにして、該タイミング情報を送信するように構成されている
ことを特徴とする請求項２９に記載のＡＰ。
【請求項３４】
前記タイミング情報デバイスは、前記タイミング情報が媒体アクセス制御（ＭＡＣ）フレームに含まれるようにして、該タイミング情報を送信するように構成されている
ことを特徴とする請求項２９に記載のＡＰ。
【請求項３５】
前記ＭＡＣフレームは、管理サブタイプである
ことを特徴とする請求項３４に記載のＡＰ。
【請求項３６】
前記タイミング情報デバイスは、タイミング情報要求を受信し、該タイミング情報要求に応答して、前記タイミング情報を送信するようにさらに構成されている
ことを特徴とする請求項２９に記載のＡＰ。